【手続補正書】
【提出日】平成16年9月3日(2004.9.3)
【手続補正１】
【補正対象書類名】明細書
【補正対象項目名】発明の名称
【補正方法】変更
【補正の内容】
【発明の名称】再生装置、データ記録装置、記録再生装置、表示装置、記録再生方法、および暗号解読装置
【手続補正２】
【補正対象書類名】明細書
【補正対象項目名】特許請求の範囲
【補正方法】変更
【補正の内容】
【特許請求の範囲】
【請求項１】
記録媒体から再生したデータを出力して外部装置に記録する再生装置において、前記外部装置は複数の暗号化手段と認証手段を備え、複数の暗号化手段の中から前記記録媒体から再生したデータの種類に対応した暗号化手段を選択して暗号化し、前記暗号化されたデータに対応した認証手段を選択して前記外部装置との認証を行い、認証が確認された後に、前記外部装置に記録するデータを出力することを特徴とする再生装置。
【請求項２】
記録媒体から再生装置によって再生され出力されたデータを、入力して記録するデータ記録装置において、前記データ記録装置は、複数の暗号化手段と認証手段を備え、前記記録媒体から再生されたデータの種類に対応した暗号化手段を選択して暗号化し、前記暗号化されたデータに対応した認証手段を選択して前記再生装置との認証を行い、認証が確認された後に、前記再生装置から出力されるデータを入力し、当該入力されたデータを記録することを特徴とするデータ記録装置。
【請求項３】
互いに認証し合うことによりデータの授受を行ってデータを記録または再生する複数のデータ記録再生装置またはデータ再生装置を有する記録再生装置であって、前記複数のデータ記録再生装置またはデータ再生装置は、それぞれ複数の暗号化手段と認証手段を有し、前記記録再生装置は、前記データの種類に対応した暗号化手段を選択して暗号化し、前記複数のデータ記録再生装置またはデータ再生装置が有する認証手段の中から前記暗号化されたデータに対応した認証手段を選択して、認証することを特徴とする記録再生装置。
【請求項４】
請求項３に記載の記録再生装置において、
前記認証はソフトウェアにより行うことを特徴とする記録再生装置。
【請求項５】
請求項４に記載の記録再生装置において、
前記認証は、複数のデータ記録再生装置またはデータ再生装置を統括的に制御するプログラムにより行うことを特徴とする記録再生装置。
【請求項６】
請求項３に記載の記録再生装置において、
前記複数の暗号化手段は前記データが映像信号か音声信号か静止画画像信号かプログラムのコードかまたはそのいずれでもないかの種類を示す情報によって選択されることを特徴とする記録再生装置。
【請求項７】
請求項３に記載の記録再生装置において、
前記複数の暗号化手段は前記データに含まれたコピーを制御するための情報によって選択されることを特徴とする記録再生装置。
【請求項８】
請求項３に記載の記録再生装置において、
前記複数のデータ記録再生装置またはデータ再生装置のうち、少なくとも一つは可換な記録媒体を扱う装置であることを特徴とする記録再生装置。
【請求項９】
請求項３に記載の記録再生装置において、
前記複数のデータ記録再生装置またはデータ再生装置のうち、少なくとも一つは可換でない記録媒体を扱う装置であることを特徴とする記録再生装置。
【請求項１０】
請求項８に記載の記録再生装置において、
前記複数の暗号化手段は前記記録媒体の種類を示す情報によって選択されることを特徴とする記録再生装置。
【請求項１１】
請求項９に記載の記録再生装置において、
前記複数の暗号化手段は前記記録媒体の種類を示す情報によって選択されることを特徴とする記録再生装置。
【請求項１２】
請求項３に記載の記録再生装置において、
前記複数のデータ記録再生装置またはデータ再生装置の組み合わせが可換でない場合には、
前記データに対応した暗号を解く鍵の受け渡しを行うことを特徴とする記録再生装置。
【請求項１３】
データを入力して表示する表示装置において、前記表示装置は複数の暗号解読手段と認証手段を備え、複数の暗号解読手段の中から入力されたデータの種類に対応した暗号解読手段を選択し、入力したデータに対応した認証手段により、入力されたデータを出力した出力装置との認証を行い、認証が確認された後に、前記出力装置から出力されるデータを入力し、当該入力されたデータを表示することを特徴とする表示装置。
【請求項１４】
記録媒体から再生され、出力されたデータを入力して表示する表示装置において、前記表示装置は複数の暗号解読手段と認証手段を備え、複数の暗号解読手段の中から、前記記録媒体から再生されたデータの種類に対応した暗号解読手段を選択し、入力したデータに対応した認証手段により前記データ再生装置との認証を行い、認証が確認された後に、前記データ再生装置から出力されるデータを入力し、当該入力されたデータを表示することを特徴とする表示装置。
【請求項１５】
請求項１３に記載の表示装置において、前記表示装置と前記データを出力した再生装置は、それぞれ複数の暗号解読手段を有し、
前記複数の暗号解読手段は前記データが映像信号か音声信号か静止画画像信号かプログラムのコードかまたはそのいずれでもないかの種類を示す情報によって選択されることを特徴とする表示装置。
【請求項１６】
請求項１３に記載の表示装置において、前記表示装置と前記データを出力した再生装置は、それぞれ複数の暗号解読手段を有し、
前記複数の暗号解読手段は前記データに含まれたコピーを制御するための情報によって選択されることを特徴とする表示装置。
【請求項１７】
請求項１４に記載の表示装置において、前記表示装置とデータを出力したデータ再生装置は、それぞれ複数の暗号解読手段を有し、
前記複数の暗号解読手段は前記データに含まれた記録媒体の種類を示す情報によって選択されることを特徴とする表示装置。
【請求項１８】
請求項１４に記載の表示装置において、前記表示装置とデータを出力したデータ再生装置は、それぞれ複数の暗号解読手段を有し、
前記複数の暗号解読手段は前記データに含まれた記録媒体の種類を示す情報とコピーを制御するための情報との組み合わせよって選択されることを特徴とする表示装置。
【請求項１９】
請求項１８に記載の表示装置において、
前記記録媒体の種類を示す情報は、再生専用の媒体か記録可能な媒体かを示す情報を備え、前記コピーを制御するための情報は、コピー制限がないか、コピー禁止か、一世代だけコピー可能かを示す情報を備えていることを特徴とする表示装置。
【請求項２０】
請求項１８に記載の表示装置において、
前記組み合わせは少なくとも、再生専用の媒体であるとの情報と、記録可能な媒体であってかつコピー禁止か一世代だけコピー可能かを示す情報と、記録可能な媒体であってコピー制限がないとの情報という３種類の組み合わせを有することを特徴とする表示装置。
【請求項２１】
それぞれ複数の暗号化手段を有し互いに認証し合うことによりデータの授受を行ってデータを記録再生する複数のデータ記録再生装置またはデータ再生装置を有する記録再生装置における記録再生方法であって、
前記複数のデータ記録再生装置またはデータ再生装置は、
前記データの種類に対応した暗号化手段をそれぞれ選択し、かつ、相互に認証し合う
ことを特徴とする記録再生方法。
【請求項２２】
暗号化されたデータを入力して再生する暗号解読装置であって、前記暗号化されたデータの暗号を解除する複数の暗号解読手段と、前記暗号解読手段により解読されたデータを再生する再生手段とを有し、
前記複数の暗号解読手段のうち、前記暗号化されたデータの種類に対応した暗号化手段を、入力されたデータから選択して、前記暗号化されたデータの暗号を解除することを特徴とする暗号解読装置。
【請求項２３】
請求項２２に記載の暗号解読装置において、
前記複数の暗号解読手段は前記データが映像信号か音声信号か静止画画像信号かプログラムのコードかまたはそのいずれでもないかの種類を示す情報によって選択されることを特徴とする暗号解読装置。
【請求項２４】
請求項２２に記載の暗号解読装置において、
前記複数の暗号解読手段は前記データに含まれたコピーを制御するための情報によって選択されることを特徴とする暗号解読装置。
【請求項２５】
請求項２２に記載の暗号解読装置において、
前記複数の暗号解読手段は前記データに含まれた記録媒体の種類を示す情報によって選択されることを特徴とする暗号解読装置。
【請求項２６】
請求項２２に記載の暗号解読装置において、
前記複数の暗号解読手段は前記データに含まれた記録媒体の種類を示す情報とコピーを制御するための情報との組み合わせよって選択されることを特徴とする暗号解読装置。
【請求項２７】
請求項２２に記載の暗号解読装置において、
前記記録媒体の種類を示す情報は、再生専用の媒体か記録可能な媒体かを示す情報を備え、前記コピーを制御するための情報は、コピー制限がないか、コピー禁止か、一世代だけコピー可能かを示す情報を備えていることを特徴とする暗号解読装置。